(57)【要約】 【課題】サイドプレートの上下調整操作を作業装置等の障害物に影響されることなく容易に行うことを可能にして操作性の向上を図り、またコスト低減を図る。 【解決手段】サイドプレートを上下に調整するねじロッド７の上端部と該ねじロッド７を回動操作するクランク形ハンドル１２とをリング状部材１３ａ，１３ｂ同士で結合し、クランク形ハンドル１２はねじロッド７の回動操作時に該ねじロッド７に対し適宜に傾倒可能に構成した。【選択図】図１
2013174059.tif 000002
【特許請求の範囲】
【請求項１】
サイドプレートを上下に調整するねじロッドの上端部と該ねじロッドを回動操作するクランク形ハンドルとをリング状部材同士で結合し、前記クランク形ハンドルは前記ねじロッドの回動操作時に該ねじロッドに対し適宜に傾倒可能に構成したことを特徴とする道路舗装機械のサイドプレート上下装置。
【発明の詳細な説明】
【技術分野】
【０００１】
本発明は、道路舗装機械のサイドプレート上下調整装置に関するものであり、特に、サイドプレートの上下調整のための操作を作業装置等の障害物に影響されることなく容易に行うことができて操作性の向上を図ることが可能な道路舗装機械のサイドプレート上下調整装置に関するものである。
【背景技術】
【０００２】
従来のサイドプレートを備えた道路舗装機械としては、例えば、図２に示すようなものがある。道路舗装機械１は、機械本体２の前部に図示しないダンプトラックからアスファルト合材の投入を受け入れるホッパ３が備えられている。該ホッパ３で受入れたアスファルト合材は図示しないコンベヤで機械本体２の後部に送り出され、この送り出されたアスファルト合材が、スクリューで機械本体２の幅方向に撒き広げられながら主スクリード及び一対の伸縮スクリード等からなるスクリード機構４で路盤に敷き均すように構成されている。
【０００３】
そして、該スクリード機構４の両側端部に設けられたリアスクリードフレームにサイドプレート５がそれぞれ装着されている。該サイドプレート５は、アスファルト合材の幅方向への移動をそこでせき止めることで規制し、意図する舗装幅からアスファルト合材のはみ出しを防ぐとともに舗装道路端面の仕切性の向上を図るために設けられている。
【０００４】
また、上記のようなサイドプレートの上下調整装置を備えた道路舗装機械として、例えば、次のような道路舗装機械のスクリード装置が知られている。この従来技術は、スクリード機構の両側端部に設けられたリアスクリードフレームにサイドプレートブラケットがボルト等で固着され、該サイドプレートブラケットにサイドプレートが前後のロッド及び前後のねじロッドにより高さ及び前後方向の傾き調整可能に取り付けられている。
【０００５】
そして、施工時の舗装厚さに合わせてサイドプレートの高さ及び前後方向の傾きを調整する際は、前後のねじロッドを交互に回動操作する。サイドプレートが所要の高さ及び前後方向の傾きに調整された後、ねじロッド上部のロックプレートで該ねじロッドの回転止めを行う。
【０００６】
また、サイドプレート前端部のＪボルトを締め付け、該サイドプレートを調整された高さ及び前後方向の傾きで固定する。サイドプレートは、その下端部が舗装作業時に路盤上を滑走する。このため、路盤に対する面圧を低くして該路盤への食い込みを防ぐ目的で、サイドプレート下端部は断面Ｌ形構造とされて、平板部が形成されている（例えば、特許文献１参照）。
【０００７】
図３は、上記とほぼ同様のサイドプレートの上下調整装置部分の構成を示している。同図において、スクリード機構４の両側端部に設けられたリアスクリードフレームにサイドプレートブラケット６がボルト等で固着され、該サイドプレートブラケット６にサイドプレート５が前後のねじロッド７ａ，７ｂにより高さ及び前後方向の傾きを調整可能に取り付けられている。各ねじロッド７ａ，７ｂ上部の上下調整操作部には、その周辺の作業装置等の障害物に干渉しない大きさの小回転半径ハンドル８ａ，８ｂがそれぞれ取り付けられている。施工時の舗装厚さに合わせてサイドプレート５の高さ及び前後方向の傾きを調整する際は、前後のねじロッド７ａ，７ｂを小回転半径ハンドル８ａ，８ｂで交互に回動操作する。サイドプレート５が所要の高さ及び前後方向の傾きに調整された後の舗装中、チェーン９，９はやや緩めの状態とされる。
【０００８】
図４の（ａ）、（ｂ）、（ｃ）は、ねじロッド７上部の上下調整操作部の各様式を示している。同図（ａ）は上記と同様の周辺の作業装置等の障害物に干渉しない大きさの備え付け小回転半径ハンドル８式、同図（ｂ）は工具（スパナ、ラチェットレンチ等）を用いて上下操作を行う六角頭１０を備えた工具操作式、また同図（ｃ）は周辺の作業装置等の障害物を回避する構造の備え付けスライドハンドル１１式である。
【先行技術文献】
【特許文献】
【０００９】
【特許文献１】特開２００７−２１１４１０号公報
【発明の概要】
【発明が解決しようとする課題】
【００１０】
図２に記載の従来技術においては、道路舗装機械のリアスクリードフレームに装着されたアスファルト合材のはみ出し防止用等のサイドプレートが示されている。
【００１１】
特許文献１に記載の従来技術においては、道路舗装機械のサイドプレート上下調整装置が示されている。
【００１２】
図３に記載の従来技術においては、サイドプレートの上下調整装置としてのねじロッド上部の上下調整操作部に、周辺の作業装置等の障害物に干渉しない大きさの小回転半径ハンドルが取り付けられていることが示されている。
【００１３】
また、図４の（ａ）、（ｂ）、（ｃ）に記載の従来技術においては、周辺の作業装置等の障害物に干渉しない大きさの備え付け小回転半径ハンドル式（同図（ａ））、工具（スパナ、ラチェットレンチ等）を用いて上下操作を行う六角頭を備えた工具操作式（同図（ｂ））、及び周辺の作業装置等の障害物を回避する構造の備え付けスライドハンドル式（同図（ｃ））の上下調整操作部の各様式が示されている。しかしながら、備え付け小回転半径ハンドル式のものは、ハンドルが小さくなって操作性が悪くなる。六角頭を備えた工具操作式のものは、工具がないと上下操作ができない。また、備え付けスライドハンドル式のものは、構造が複雑になってコスト高になり、さらに障害物がある場合は連続操作ができない。
【００１４】
そこで、サイドプレートの上下調整操作を作業装置等の障害物に影響されることなく容易に行うことを可能にして操作性の向上を図り、またコスト低減を図るために解決すべき技術的課題が生じてくるのであり、本発明はこの課題を解決することを目的とする。
【課題を解決するための手段】
【００１５】
本発明は上記目的を達成するために提案されたものであり、請求項１記載の発明は、サイドプレートを上下に調整するねじロッドの上端部と該ねじロッドを回動操作するクランク形ハンドルとをリング状部材同士で結合し、前記クランク形ハンドルは前記ねじロッドの回動操作時に該ねじロッドに対し適宜に傾倒可能に構成した道路舗装機械のサイドプレート上下調整装置を提供する。
【００１６】
この構成によれば、ねじロッドの上端部とクランク形ハンドルとをリング状部材同士で結合したことで、クランク形ハンドルをねじロッドに対し適宜に傾けたままでも、該クランク形ハンドルの回動操作力をねじロッドに伝達することが可能となる。このため、クランク形ハンドルを作業装置等の障害物に影響されることのない角度位置でねじロッドを回動操作してサイドプレートを上下に調整することが可能となる。
【発明の効果】
【００１７】
請求項１記載の発明は、クランク形ハンドルを作業装置等の障害物に影響されることのない角度位置でねじロッドを容易に回動操作することができて操作性を向上させることができる。また、簡易な構造のクランク形ハンドルを適用して作業装置等の障害物を回避するようにしたためコスト低減を図ることができるという利点がある。
【図面の簡単な説明】
【００１８】
【図１】本発明の実施例に係る道路舗装機械のサイドプレート上下調整装置を一部省略して示す正面図。
【図２】従来の道路舗装機械の側面図。
【図３】道路舗装機械における従来のサイドプレート上下調整装置部分を示す正面図。
【図４】従来のサイドプレート上下調整装置における上下調整操作部の各様式を一部省略して示す正面図であり、（ａ）は備え付け小回転半径ハンドル式、（ｂ）は六角頭を備えた工具操作式、（ｃ）は備え付けスライドハンドル式。
【発明を実施するための形態】
【００１９】
本発明は、サイドプレートの上下調整操作を作業装置等の障害物に影響されることなく容易に行うことを可能にして操作性の向上を図り、またコスト低減を図るという目的を達成するために、サイドプレートを上下に調整するねじロッドの上端部と該ねじロッドを回動操作するクランク形ハンドルとをリング状部材同士で結合し、前記クランク形ハンドルは前記ねじロッドの回動操作時に該ねじロッドに対し適宜に傾倒可能に構成することにより実現した。
【実施例１】
【００２０】
以下、本発明の好適な実施例を図１を参照して説明する。なお、図１において、前記図４における部材と同一ないし均等のものは、前記と同一符号を以って示し重複した説明を省略する。
【００２１】
まず、本実施例に係る道路舗装機械のサイドプレート上下調整装置の構成を説明する。図１において、本実施例では、ねじロッド７上部の上下調整操作部のハンドル様式としてクランク形ハンドル１２が用いられ、ねじロッド７の上端部とクランク形ハンドル１２とがリング状部材１３ａ，１３ｂ同士で結合されている。このリング状部材１３ａ，１３ｂ同士の結合により、クランク形ハンドル１２はねじロッド７の回動操作時に該ねじロッド７に対し適宜に傾倒可能に構成されている。
【００２２】
次に、上述のように構成された道路舗装機械のサイドプレート上下調整装置の作用を説明する。ねじロッド７の上端部とクランク形ハンドル１２とをリング状部材１３ａ，１３ｂ同士で結合したことで、クランク形ハンドル１２をねじロッド７に対し適宜に傾けたままでも、該クランク形ハンドル１２の回動操作力をねじロッド７に伝達することが可能となる。このため、クランク形ハンドル１２を作業装置等の障害物に影響されることのない角度位置（図１中の仮想線等の位置）でねじロッド７を回動操作してサイドプレートを上下に調整することが可能となる。
【００２３】
上述したように、本実施例に係る道路舗装機械のサイドプレート上下調整装置においては、クランク形ハンドル１２を作業装置等の障害物に影響されることのない角度位置でねじロッド７を容易に回動操作することができて操作性を向上させることができる。
【００２４】
ハンドル様式として簡易な構造のクランク形ハンドル１２を適用して作業装置等の障害物を回避するようにしたためコスト低減を図ることができる。
【００２５】
なお、回動対象物に対し角度をつけて回動させる方法として、自在継ぎ手（ユニバーサルジョイント）を用いる方法が知られているが、自在継ぎ手は高価である。
【００２６】
また、本発明は、本発明の精神を逸脱しない限り種々の改変をなすことができ、そして、本発明が該改変されたものにも及ぶことは当然である。
【産業上の利用可能性】
【００２７】
サイドプレートの上下調整操作を作業装置等の障害物に影響されることなく容易に行うことを可能にして操作性の向上を図り、またコスト低減を図ることが不可欠な乳剤散布機能付き及び無しのアスファルトフィニッシャ等を含む道路舗装機械に広く適用することが可能である。
【符号の説明】
【００２８】
１              道路舗装機械
２              機械本体
３              ホッパ
４              スクリード機構
５              サイドプレート
６              サイドプレートブラケット
７，７ａ，７ｂ  ねじロッド
８，８ａ，８ｂ  小回転半径ハンドル
９              チェーン
１０              六角頭
１１              備え付けスライドハンドル
１２              クランク形ハンドル
１３ａ，１３ｂ    リング状部材
【図１】
2013174059.tif 000003
【図２】
2013174059.tif 000004
【図３】
2013174059.tif 000005
【図４】
2013174059.tif 000006